(57)【要約】      （修正有）【課題】風抜け機能を有し、取り扱いが容易でコンパクトな構造の傘を提供する。【解決手段】  軸柄２の上端部に第１上ろくろ５ａ並びに第２上ろくろ５ｂが設けられ、かつ前記軸柄２の中途にスライダ６と摺動ろくろ７とが摺動自在に外挿され、第１上ろくろ５ａに複数本の第１親骨９ａが放射状に配置され、前記第２上ろくろ５ｂに複数本の第２親骨９ｂが第１親骨９ａに対応して放射状に配置され、前記軸柄２の握柄３近傍に前記スライダ６を係止保持可能で人為操作によりこの係止を解除可能なハジキ４が設けられ、前記第２親骨９ｂに生地１１がカバー１０の張設される前記第１親骨９ａより長く張設され、前記生地１１のカバー１０とオーバーラップする部位には生地１１が受けた風を上方外方へ逃がす空気孔１２が形成され、該空気孔１２内で第２親骨９ｂの上部に沿って第１親骨９ａを間隔を有しながら連結する連結具１３が設けられている。【選択図】図１
2006102392.tif 000002
【特許請求の範囲】
【請求項１】
軸柄（２）の上端部に第１上ろくろ（５ａ）並びに該第１上ろくろ（５ａ）の下側に近接して第２上ろくろ（５ｂ）が設けられ、かつ前記軸柄（２）の中途にスライダ（６）と摺動ろくろ（７）とが摺動自在に外挿され、前記第１上ろくろ（５ａ）に複数本の第１親骨（９ａ）が放射状に配置されかつ揺動自在に設けられ、前記第２上ろくろ（５ｂ）に複数本の第２親骨（９ｂ）が前記第１親骨（９ａ）に対応して放射状に配置されかつ揺動自在に設けられ、該第２親骨（９ｂ）には、その中途部（９ｂ３）に摺動ろくろ（７）に揺動自在に保持された支骨（１４）が連結され、前記軸柄（２）の握柄（３）近傍に前記スライダ（６）を係止保持可能で人為操作によりこの係止を解除可能なハジキ（４）が設けられ、前記第２親骨（９ｂ）に生地（１１）がカバー（１０）の張設される前記第１親骨（９ａ）より長く張設され、前記生地（１１）のカバー（１０）とオーバーラップする部位には生地（１１）が受けた風を上方外方へ逃がす空気孔（１２）が形成され、該空気孔（１２）内で第２親骨（９ｂ）の上部に沿って第１親骨（９ａ）を間隔を有しながら連結する連結具（１３）が設けられていることを特徴とする傘。
【請求項２】
前記連結具（１３）は互いに枢支連結された２連結部材（１３ａ、１３ｂ）を有し、一方の連結部材（１３ａ）は第１親骨（９ａ）と第２親骨（９ｂ）のうちの一方に固定され、他方の連結部材（１３ｂ）は第１親骨（９ａ）と第２親骨（９ｂ）のうちの他方に摺動自在に外挿されていることを特徴とする請求項１記載の傘。
【請求項３】
前記生地（１１）に形成された空気孔（１２）は、傘（１）の中央部の生地（１１）、又は第２親骨（９ｂ）間の生地（１１）を欠如して形成され、前記生地（１１）の空気孔（１２）形成部位にネット部材（１６）が設けられていることを特徴とする請求項１又は請求項２記載の傘。
【発明の詳細な説明】
【技術分野】
【０００１】
本発明は、傘に関する。
【背景技術】
【０００２】
この種の従来技術の傘においては、風が強いときには、開いた傘の生地がその風によってあおられ、傘が飛ばされたり、変形（所謂おちょこになる。）したりすることが多い。そのために、傘の生地が受けた風を上方外方に逃がす空気孔を形成し、この孔から生地が受ける風を逃がして、傘が飛ばないように、変形しないようにする方法（以下、風抜け機能）が採られている。
その一つとして、傘の生地の上方に空気孔を形成し、該空気孔と傘の生地を上方からオーバーラップするように形成したカバーを傘の親骨において傘から離脱しないように縫着したものが案出されている。（たとえば、特許文献１参照）
また、軸柄の上端部の第１上ろくろに複数の本数の第１親骨を設けて、その第１親骨にカバーを張設するとともに、第１上ろくろの下側に近接した第２上ろくろに第２親骨を設けて、その第２親骨には空気孔を有する生地を張設した二枚重ねの二重傘がある。（たとえば、特許文献２参照）
【特許文献１】実開昭６１−１６０７２０号公報（第７頁、第１図）
【特許文献２】特開２０００−１９７５１１号公報（第５頁、第６図）
【発明の開示】
【発明が解決しようとする課題】
【０００３】
前記従来技術による傘においては、特許文献１のように空気孔から風を上方外方に逃がす開口がカバーによりふさがれ、そのため必ずしも十分な開口がとれないものや、特許文献２のような二重傘において、カバーを張設するための第１親骨、第１ろくろ、第１支骨、第１摺動ろくろ、並びに、生地を張設するための同様の骨やろくろが必要なために、製造に困難性があり構造も複雑で、また大きな費用が必要である。
本発明は、このような風を上方外方に逃がすには不十分な開口しかとれない、あるいは、折りたたみ傘であって、製造に困難性があり構造も複雑で、そのため故障すると修理に特殊技能が必要となるような従来の問題点を解決できるようにした傘を提供することを目的とする。
【０００４】
本発明は、第２親骨の上部に沿って第１親骨を間隔を有しながら連結する連結具を設け、第２親骨を開くことで第１親骨を開くことが可能であり、傘の生地が受けた風を生地の空気孔を通じて逃がすように、カバーと生地の間の空気の流れを正常にできる風抜け機能を有する傘を提供することを目的とする。
【課題を解決するための手段】
【０００５】
本発明における課題解決のための具体的手段は、次の通りである。
即ち、軸柄の上端部に第１上ろくろ並びに該第１上ろくろの下側に近接して第２上ろくろが設けられ、かつ前記軸柄の中途にスライダと摺動ろくろとが摺動自在に外挿され、前記第１上ろくろに複数本の第１親骨が放射状に配置されかつ揺動自在に設けられ、前記第２上ろくろに複数本の第２親骨が前記第１親骨に対応して放射状に配置されかつ揺動自在に設けられ、該第２親骨には、その中途部に摺動ろくろに揺動自在に保持された支骨が連結され、前記軸柄の握柄近傍に前記スライダを係止保持可能で人為操作によりこの係止を解除可能なハジキが設けられ、前記第２親骨に生地がカバーの張設される前記第１親骨より長く張設され、前記生地のカバーとオーバーラップする部位には生地が受けた風を上方外方へ逃がす空気孔が形成され、該空気孔内で第２親骨の上部に沿って第１親骨を間隔を有しながら連結する連結具が設けられていることを特徴とする。
【０００６】
これによって、第２親骨を開閉することで第１親骨も開閉可能で、カバーと生地の間の空気の流れを正常にできる取り扱いが容易なコンパクトな構造の風抜け機能を有する傘となる。
また、前記連結具は互いに枢支連結された２連結部材を有し、一方の連結部材は第１親骨と第２親骨のうちの一方に固定され、他方の連結部材は第１親骨と第２親骨のうちの他方に摺動自在に外挿されていることが好ましい。
これによって、空気孔から生地が受けた風を上方外方へ逃がす開口が確実に設けられる。
【０００７】
また、前記生地に形成された空気孔は、傘の中央部の生地、又は第２親骨間の生地を欠如して形成され、前記生地の空気孔形成部位にネット部材が設けられていることが好ましい。
これによって、ネット部材に衝撃を与える風の力を空気の流れの摩擦損失によって減衰することができ、生地上並びにカバー上に加わる風の力が弱まり傘の耐用年数が長くなる。さらには、傘の外観上の見栄えが良くなる。
【発明の効果】
【０００８】
本発明によれば、第２親骨の上部に沿って第１親骨を間隔を有しながら連結する連結具を設けたことにより、第２親骨を開くことで第１親骨を開くことが可能なコンパクトな構造であり、傘の生地が受けた風を生地の空気孔を通じて逃がすように、カバーと生地の間の空気の流れを正常にできる風抜け機能を有するものとしたので、風で飛ばされ易い時、たとえば魚釣りや自転車に乗っている時などに使用する傘として使い勝手の良いものとなる。
【発明を実施するための最良の形態】
【０００９】
以下、本発明の実施の形態を図面に基づいて説明する。
図１〜６は、本発明の傘１の第１実施形態を示すものである。本実施形態のジャンプ傘１は、軸柄２の下端部には握柄３が設けられ、握柄３の近傍にハジキ４が設けられ、軸柄２の上端部には上ろくろ５が設けられている。
この軸柄２の中途には、さらにスライダ６と摺動ろくろ７とが外挿されている。スライダ６の方が下位側となり、そのすぐ上位側に摺動ろくろ７が配される位置付けとなっている。これらスライダ６及び摺動ろくろ７は、互いに移動バネ８を介して設けられている。この移動バネ８は、スライダ６と摺動ろくろ７とを相互離反付勢する方向に弾発力を生ずるようになっている。これらスライダ６及び摺動ろくろ７は互いに連結されたままの状態で、この軸柄２に沿って摺動自在になっている。
【００１０】
このようなジャンプ傘１の基本構造に加えて、本発明に係るジャンプ傘１での上ろくろ５は、第１上ろくろ５ａと、第１上ろくろ５ａの下側に近接して第２上ろくろ５ｂとが設けられている。第１上ろくろ５ａには、カバー１０を張設するために放射状に張り出して配置された複数の本数の第１親骨９ａが揺動自在に設けられ、第２上ろくろ５ｂには、生地１１を張設するために同じく放射状に張り出して設けられた複数の本数の第２親骨９ｂが揺動自在に設けられている。
第１親骨９ａは、第２親骨９ｂの上部に沿って、間隔を有しながら設けられている。また、第１親骨９ａと第２親骨９ｂの間に連結部材１３が設けられ、第１親骨９ａと第２親骨９ｂとを間隔を有して連結している。
【００１１】
第１親骨９ａの第１上ろくろ５ａからの長さは、第２親骨９ｂの第２上ろくろ５ｂからの長さの半分程度である。
第１親骨９ａの一本一本は、第２親骨９ｂの一本毎に所謂１対１に対応しており、重複して対応したり、あるいは対応していないものはない。すなわち、第１親骨９ａの本数と、第２親骨９ｂの本数は同じである。なお、第１親骨９ａと、第２親骨９ｂとの本数を同じに限定するものではなく、特に第２親骨９ｂの本数が第１親骨９ａの本数より多くても差し障りない。
【００１２】
第２親骨９ｂに１対１対応となって支骨１４が摺動ろくろ７に揺動自在に保持されており、各支骨１４の先が各第２親骨９ｂの中途部９ｂ３に揺動自在な状態で連結されている。また，各支骨１４に１対１対応となって子骨１５がスライダ６に揺動自在に保持されており、各子骨１５の先が各支骨１４の支骨中途部１４１に揺動自在な状態で連結されている。
第２親骨９ｂに張設された生地１１には、以下に記載のように、空気孔１２が設けられている。また、この空気孔１２内に、同じく以下に記載のように、第２親骨９ｂの上部に沿って第１親骨９ａを間隔を有しながら連結する連結具１３が設けられている。
【００１３】
これら第１親骨９a、第２親骨９ｂ、支骨１４、子骨１５、並びに連結具１３による連結状態、及び第１親骨９ａに張設されるカバー１０、並びに第２親骨９ｂに張設される生地１１の各テンション、更にはスライダ６と摺動ろくろ７とを連結している移動バネ８のバネ力などによる総合的なバネ作用として、本実施形態のジャンプ傘１の閉傘状態（図２、５）からの開傘（図１、３、４）、及びこの開傘状態の維持がなされる。なお、軸柄２における握柄３の近傍のハジキ４によってスライダ６を係止保持して閉傘状態を維持したり、さらに人為操作によってスライダ６の係止状態を解除させて開傘状態の維持ができるようになっている。
【００１４】
また、本実施形態のようなスライダ６と摺動ろくろ７とを連結した移動バネ８を設けた所謂ジャンプ機能を有するジャンプ傘１に限定せず、手動で開傘する手開き傘１であってもよい。
生地１１は、三角形に裁断した８枚の素生地１１５を縫合したもので、その縫合した縫合部分１１６を第２親骨９ａに沿わせて第２親骨９ａに生地１１を糸で止めて張設する。この糸で止めた縫着点１１３は、約１５ｃｍ間隔に第２親骨９ａに沿わせて設けている。なお、素生地１１５を縫合した縫合部分１１６と、糸で止めた縫着点１１３とが一致することに限定するものではないし、素生地１１５を８枚に限定するものではなく、かつ一枚の生地１１からのものであっても構わない。
【００１５】
生地１１は、上周縁部１１２から下周縁部１１１まで第２親骨９ｂに張設されている。ここで、上周縁部１１２は、第２親骨９ｂの連絡部９ｂ２と生地１１とを糸で止めた第２親骨９ｂ毎の縫着点１１３間を連絡するものである。なお、この連絡部９ｂ２から第２上ろくろ５ｂ側、すなわち、傘１の中央部には、生地１１は張設されておらず、生地１１は欠如しており、その部分は空気孔１２となっている。空気孔１２があるために、生地１１が移動しないように、この連絡部９ｂ２には、縫着点１１３が設けられている。連絡部９ｂ２はカバー１０にオーバーラップされている。
【００１６】
また、下周縁部１１１は、第２親骨９ｂの反第２上ろくろ５ｂ側である自由端部９ｂ１間を連絡するものである。この自由端部９ｂ１にも、縫着点１１３が設けられている。
一方、カバー１０は、第１上ろくろ５ｂを中心として、第１親骨９ａの反第１上ろくろ５ａ側である自由端部９ａ１まで第１親骨９ａに張設されている。また、カバー１０は、第１親骨９ａの自由端部９ａ１間を連絡したカバー外周縁部１０１を構成している。なお、生地１１はカバー１０にオーバーラップされた部分からはみだしている。（図３）
カバー１０も三角形に裁断した８枚の素生地１０５を縫合し、その縫合した縫合部分１０６を第１親骨９ｂに沿わせて糸で止めるような、生地１１と同様のものであっても良い。
【００１７】
空気孔１２は、第２上ろくろ５ａを中心とした前記上周縁部１１２に囲まれた部分である。生地１１の上周縁部１１２から第２上ろくろ５ａ側は、前述のように生地１１が張設されておらず、空気孔１２を構成している。すなわち、傘１の中央部の生地１１を欠如して空気孔１２が形成されている。
この空気孔１２は、第１親骨９ａに張設したカバー１０でオーバーラップされているのが本実施形態の傘１の上方からの平面図（図３）からも明らかである。この空気孔１２は、生地が受けた風を上方外方へ逃がすためのものである。
【００１８】
また、図４の傘１の正面図（一部断面）に示されるように、生地１１が受けた風は矢印のように、空気孔１２を通過し、さらにカバー１０と生地１１との間である開口１９を通過して傘１の上方外方へ逃げてゆくような風抜け機能となっている。
なお、図５に示すように、本実施形態の傘１を閉じたときは石突１７（菊座１８）を上に向け、握柄３を下にすれば、風が逃げて行く空気孔１２に傘１に付着した雨水が浸入してくることはない。
本実施形態の傘１は、本来は、風抜け機能を目的とするが、雨傘に用いた後に傘１を閉じたりした場合等には、上記図５に示す状況で保持する。そのために、その旨を傘１に添付したラベルに表示して別途明示するとか、あるいは石突１７に手提げリング（図示せず。）等を連結して石突１７を上に向けて傘１を移動させやすいようにすることが好ましい。
【００１９】
次に、図６に示すように、連結具１３はスライド式であって、互いに間隔を有して枢支連結された第１連結部材１３ａと第２連結部材１３ｂからなっている。第１親骨９ａには第１連結部材１３ａが固定されている。一方、第２親骨９ｂには第２連結部材１３ｂが摺動自在に外挿されている。
そして、第１連結部材１３ａ並びに第２連結部材１３ｂに設けられた親骨９の長手に直角方向である溝孔１３ａ１、１３ｂ１と、同じく直角方向であるネジ軸１３ｃとが回動可能に係合して枢支連結されている。この連結具１３は、前述の空気孔１２内に設けられている。
【００２０】
第２連結部材１３ｂは、空気孔１２内に露出された第２親骨９ｂに摺動自在に外挿され、また空気孔１２が前述のようにカバー１０にオーバーラップされていることから、連結具１３自体も、カバー１０に覆われている。なお、第１連結部材１３ａと第２連結部材１３ｂとの本実施形態での間隔は、親骨９の直径の２倍程度である。
また、傘１の開閉にともなって、第２親骨９ｂ上を第２連結部材１３ｂが自在に摺動することにより、この連結具１３は傘１の開閉をスムーズに安定したものとする効果がある。この連結具１３は、第１親骨９ａ、第１親骨９ｂの両者を支え、両者の強度を向上させている。また、この連結具１３は、第１親骨９ａを第２親骨９ｂにより下から支えているので、第１親骨９ａの安定したカバーの張設を助けている。
【００２１】
なお、本実施形態では、第１連結部材１３ａが第１親骨９ａに固定され、第２連結部材１３ｂが第２親骨９ｂに摺動自在に外挿されているが、逆に第１連結部材１３ａが第１親骨９ａに摺動自在に外挿され、第２連結部材１３ｂが第２親骨９ｂに固定されていても構わない。
この場合、第１連結部材１３ａが第１親骨９ａに自在に摺動できるように、この第１親骨９ａの摺動部分ではカバー１０の第１連結部材１３ａへの縫着は行わない。なお、第２連結部材１３ｂが第２親骨９ｂに摺動自在に外挿されている方が、傘１の開閉によって摺動する前記部分の摺動性が雨水等によって損なわれる心配が少なく、摺動性が損なわれる心配が少ない。
【００２２】
カバー１０が第１親骨９ａで張設され、かつ生地１１を張設する第２親骨９ｂがあって、この第１親骨９ａが第２親骨９ｂとの間に連結具１３を設けて常に前述のように間隔を有しているため、カバー１０と生地１１との間は、逃げてゆく風が通過する開口１９を形成している。カバー１０および生地１１で構成される開口１９は、第１親骨９ａに張設されるカバー１０、並びに第２親骨９ｂに張設される生地１１の各テンションとの関係、あるいはそのバランスにより、前記逃げてゆく風により適宜「はためく」ような柔軟性を有するものである。
【００２３】
第１親骨９ａに張設されるカバー１０のテンション、並びに第２親骨９ｂに張設される生地１１のテンションによって、ジャンプ傘１の閉傘状態（図２）から開傘状態（図１、４）に示すように第１親骨９ａ並びに第２親骨９ｂが、その自由端部９ａ１、９ｂ１が握軸３方向に各ロクロ５ａ、５ｂから曲線を描いて撓むような変形を生じても、この連結具１３が設けられているため、および、２つのろくろ５ａ、５ｂが上下別個に軸柄３に設けられているために、開口１９は維持されて、カバー１０と生地１１の間の空気の流れを正常にしている。
【００２４】
図７は、第２実施形態である傘１の開傘平面図を示しており、前記第１実施形態とは、第２親骨に設けた空気孔１２の形態が異なっている。生地１１は三角形に裁断した８枚の素生地１１５を縫合し、その縫合した縫合部分１１６を第２親骨９ａに沿わせて糸で止めて張設するのは、第１実施形態と同様である。その際、本第２実施形態では第２親骨９ａに外挿される第２連結部材１３ｂが素生地１１５の縫合部分１１６の一部を突き抜けて第１連結部材１３ａを枢支連結している。そして、生地１１の第２親骨９ｂに沿った部分である孔周縁部１１４を形成しつつ、第２親骨９ａ間の生地１１（生地１１の素生地１１５）を欠如して、空気孔１２を形成している。
【００２５】
第２実施形態では、傘１に張設した第２親骨９ｂ間の生地１１を切り開くだけで空気孔１２を容易に設けることができる。なお、この空気孔１２も、第１親骨９ａに張設したカバー１０（図７では、破線で表示）にオーバーラップされている等も、前記第１実施形態と同様である。
図８は、第３実施形態である傘１の開傘平面図を示しており、生地１１の空気孔１２形成部位にネット部材１６が設けられているのが前記第１〜２実施形態とは異なっている。生地１１の上周縁部１１２とネット部材１６の端末（ネット外周縁部１６１）とが互いに接着されて、生地１１の空気孔１２形成部位にネット部材１６の設けられている。もちろん、上記接着に限定するものではなく、互いに縫合されていても良い。また、ネット部材１６には、風を逃がすための多数のメッシュを含んでいる。
【００２６】
ネット部材１６を設けることにより、前記［課題を解決するための手段］に記載のように、ネット部材１６に衝撃を与える風の力を空気の流れの摩擦損失によって減衰することができ、生地１１上並びにカバー１０（図８では、破線で表示）上に加わる風の力が弱まることにより、傘１の耐用年数を長くすることができる。
また、ネット部材１６が存在すると、空気孔１２が頭上にポッカリと開いている状況と比較して、傘１の外観上の所謂見栄えがよくなり、傘１をさしたときの気分も良くなる利点がある。なお、図８は、第１実施形態の空気孔１２にネット部材１６を設けたものであるが、第２実施形態の空気孔１２（図７）にネット部材１６を設けたものの図示は省略している。
【００２７】
図９は、傘１の第４実施形態を示しており、リンク式の連結具１３を採用しているのが前記第１〜３実施形態とは異なっている。すなわち、第１親骨９ａに第１連結部材１３ａが固定され、第２親骨９ｂにも第２連結部材１３ｂが固定されており、第１連結部材１３ａと第２連結部材１３ｂとの間をリンク（接続かん）１３ｄを有して枢支連結している。
第１連結部材１３ａ並びにリンク１３ｄの一端に設けられた親骨９の長手に直角方向である第１溝孔１３ａ２、第１リンク溝孔１３ｄ１と、同じく直角方向である第１ネジ軸１３ｅ１とが回動可能に係合し、さらに、第２連結部材１３ｂ並びにリンク１３ｄの他端に設けられた同じく直角方向である第２溝孔１３ｂ２、第２リンク溝孔１３ｄ２と、同じく直角方向である第２ネジ軸１３ｅ２とが回動可能に係合して、第１連結部材１３ａと第２連結部材１３ｂとが枢支連結されている。
【００２８】
したがって、第１連結部材１３ａと第２連結部材１３ｂとが間隔を有して枢支連結されながら、この第４実施形態の連結具１３も傘１のスムーズな開閉を助けている。この連結具１３は、第１親骨９ａを第２親骨９ｂにより支えていることになるので、第１親骨９ａの安定したカバー１０の張設を助けていることなどは、その他の実施形態と同様である。いずれにしても、本発明の傘１は、取り扱いが容易でコンパクトな構造であることは、上記説明に示したとおりである。
なお、本発明は前記実施形態における各部材の形状及びそれぞれの前後・左右・上下の位置関係は、図１〜９に示すように構成することが最良である。しかし、前記実施形態に限定されるものではなく、部材、構成を種々変形したり、組み合わせを変更したりすることもできる。
【００２９】
例えば、カバー１０と生地１１との色彩を変えた審美感に優れたカラフルな傘１を提供可能で、特に生地１１（若しくはカバー１０）にのみ光を反射するものを使用すれば、暗い場所でも自動車の運転手（ドライバー）が視認しやすいので、夜間の使用でも安心して使用できる。
【図面の簡単な説明】
【００３０】
【図１】本発明の第１実施形態の傘の開傘１部断面側面図である。
【図２】第１実施形態の閉傘１部断面側面図である。
【図３】第１実施形態の傘の開傘平面図である。
【図４】同傘の開傘１部断面側面図である。
【図５】閉傘１部斜視図である。
【図６】連結部の側面図である。
【図７】本発明の第２実施形態の傘の開傘空気孔平面図である。
【図８】本発明の第３実施形態の傘の開傘ネット部材平面図である。
【図９】本発明の第４実施形態の傘の連結具側面図である。
【符号の説明】
【００３１】
１        傘
２        軸柄
３        握柄
４        ハジキ
５ａ      第１上ろくろ
５ｂ      第２上ろくろ
６        スライダ
７        摺動ろくろ
９ａ      第１親骨
９ｂ      第２親骨
９ｂ３    第２親骨中途部
１０      カバー
１１      生地
１２      空気孔
１３      連結具
１３ａ    第１連結部材
１３ｂ    第２連結部材
１４      支骨
１６      ネット部材
【図１】
2006102392.tif 000003
【図２】
2006102392.tif 000004
【図３】
2006102392.tif 000005
【図４】
2006102392.tif 000006
【図５】
2006102392.tif 000007
【図６】
2006102392.tif 000008
【図７】
2006102392.tif 000009
【図８】
2006102392.tif 000010
【図９】
2006102392.tif 000011